(57)【要約】【課題】個人情報の流出を防止することができる医用画像表示装置及び医用画像表示方法を提供する。【解決手段】医用画像機器に接続され予約リストを表示可能な表示部と、患者の予約情報を取得する予約情報取得部と、予約情報を記憶可能なデータベースと、予約患者を識別する識別情報を取得する患者識別情報取得部と、予約情報と識別情報を基に予約患者を識別する患者認証部と、データベースに記憶された情報を用いて予約リストを生成し表示部に表示する予約リスト表示部と、予約リストに患者の個人情報が含まれる場合、個人情報の表示形態を患者認証部の認証結果に応じて制御し、認証が行われないときは個人情報を非表示とし、予約患者の認証が行われたときには個人情報を表示する表示制御部と、を具備する。【選択図】  図１
2008046764.tif 000002
【特許請求の範囲】
【請求項１】
診断の予約リストを表示可能にした医用画像表示装置であって、
医用画像機器に接続され前記予約リストを含む医用画像情報を表示するための表示部と、
患者の診断予約に関する予約情報を取得する予約情報取得部と、
前記予約情報を記憶可能なデータベースと、
予約患者を識別する識別情報を取得する患者識別情報取得部と、
前記予約情報と前記識別情報を基に予約患者を識別する患者認証部と、
前記データベースに記憶された情報を用いて前記予約リストを生成し前記表示部に表示する予約リスト表示部と、
前記予約リストに患者の個人情報が含まれる場合、この個人情報の表示形態を前記患者認証部の認証結果に応じて制御し、前記予約患者の認証が行われないときは前記個人情報を非表示とし、前記予約患者の認証が行われたときには前記個人情報を表示する表示制御部と、を具備したことを特徴とする医用画像表示装置。
【請求項２】
前記表示制御部は、前記予約患者の認証が行われないときは前記予約リストの前記個人情報を隠蔽して表示し、前記予約患者の認証が行われたときには、前記個人情報に対する隠蔽処理を解除して表示することを特徴とする請求項１記載の医用画像表示装置。
【請求項３】
前記表示制御部は、前記予約患者の認証が行われないときは前記予約リストの前記個人情報を解読不能にして表示し、前記予約患者の認証が行われたときには、前記個人情報を解読可能に表示することを特徴とする請求項１記載の医用画像表示装置。
【請求項４】
前記表示制御部は、予約患者の診断を開始したときには、前記予約リストから該当する患者のリストを削除することを特徴とする請求項１記載の医用画像表示装置。
【請求項５】
前記医用画像機器は情報管理システムに接続され、前記予約情報取得部は、前記情報管理システムから前記予約情報を取得することを特徴とする請求項１記載の医用画像表示装置。
【請求項６】
前記医用画像機器は受付装置に接続され、前記患者識別情報取得部は、前記受付装置から前記予約患者の識別情報を取得することを特徴とする請求項１記載の医用画像表示装置。
【請求項７】
前記受付装置は、患者の保有する診察券に記憶された識別情報を読み取り、前記患者識別情報取得部は、前記受付装置を介して前記予約患者の識別情報を取得することを特徴とする請求項６記載の医用画像表示装置。
【請求項８】
医用画像機器に接続され診断の予約リストを表示可能にした表示部を有する医用画像表示方法であって、
患者の診断予約に関する予約情報を取得し、
前記予約情報をデータベースに記憶し、
前記データベースに記憶された情報を用いて前記予約リストを生成して前記表示部に表示し、
予約患者を識別する識別情報を取得して前記予約情報と比較し予約患者の認証を行い、
前記表示部に表示された予約リストに患者の個人情報が含まれる場合、この個人情報の表示形態を前記認証結果に応じて制御し、前記予約患者の認証が行われないときは前記個人情報を非表示とし、前記予約患者の認証が行われたときには、前記個人情報を表示するように制御することを特徴とする医用画像表示方法。
【請求項９】
予約患者の診断を開始したときには、前記予約リストから該当する患者のリストを削除することを特徴とする請求項８記載の医用画像表示方法。
【請求項１０】
前記医用画像機器は情報管理システムに接続され、前記予約情報を前記情報管理システムから取得することを特徴とする請求項８記載の医用画像表示方法。
【請求項１１】
前記医用画像機器は受付装置に接続され、前記予約患者の識別情報を前記受付装置から取得することを特徴とする請求項８記載の医用画像表示方法。
【発明の詳細な説明】
【技術分野】
【０００１】
本発明は、医用画像情報に含まれる個人情報の保護を可能にした医用画像表示装置及び医用画像表示方法に関する。
【背景技術】
【０００２】
一般に、病院等の機関では、超音波診断装置やＸ線装置等の医用画像機器を用いて診断を行うようにしている。また病院の業務としては患者の受付、検査、診断、会計等の業務があり、これらの業務を補助するために、一般的には病院情報システム（ＨＩＳ）が用いられている。この病院情報システムは、ネットワークを介して各検査室に配置された医用画像機器と接続されており、医用画像機器に設けられた端末装置に検査の予約状況等を表示可能にしている。
【０００３】
医用画像機器では、検査の前に予め検査の予約情報を病院情報システム等から取得しておき、端末装置に予約リストを表示し、予約リストに含まれる情報、例えば検査部位、手技の検査プロトコル等を元に検査の事前準備を行うことで効率化を図っている。予約リストには検査を実施する患者を確認するために、患者情報が表示される。
【０００４】
ところで、患者情報には、患者の氏名・性別・年齢等の個人情報が含まれており、患者の承諾なく個人情報が端末装置に表示された場合、医師以外の第三者によって個人情報が見られてしまう可能性がある。患者確認は、検査を実施する際に行えばよいため、患者が未だ受付をしていない段階から予約リストが表示されることは個人情報保護の観点から好ましくない。
【０００５】
特許文献１には、患者のプライバシー情報が漏洩するのを防止するため、ネットワークを利用して連携診断を行う場合に、検査依頼元側のＩＤと検査する側のＩＤをそれぞれ異ならせ、両ＩＤ間の変換を行うことによりプライバシーを保護する例が記載されている。しかしながら、この例では検査依頼元側と検査する側でそれぞれＩＤを付与し、さらにＩＤ変換を行うといった複雑な処理が必要である。
【特許文献１】特開２００３−３２３４９６号公報
【発明の開示】
【発明が解決しようとする課題】
【０００６】
従来の医用診断装置では、検査の予約リストを表示するようにしているが、予約リストに含まれる患者の個人情報が第三者によって見られてしまう危険性があった。また特許文献１に記載の例では構成が複雑になるという問題点があった。
【０００７】
本発明は、個人情報の流出を防止することができる医用画像表示装置及び医用画像表示方法を提供することを目的とする。
【課題を解決するための手段】
【０００８】
請求項1記載の本発明は、診断の予約リストを表示可能にした医用画像表示装置であって、医用画像機器に接続され前記予約リストを含む医用画像情報を表示するための表示部と、患者の診断予約に関する予約情報を取得する予約情報取得部と、前記予約情報を記憶可能なデータベースと、予約患者を識別する識別情報を取得する患者識別情報取得部と、前記予約情報と前記識別情報を基に予約患者を識別する患者認証部と、前記データベースに記憶された情報を用いて前記予約リストを生成し前記表示部に表示する予約リスト表示部と、前記予約リストに患者の個人情報が含まれる場合、この個人情報の表示形態を前記患者認証部の認証結果に応じて制御し、前記予約患者の認証が行われないときは前記個人情報を非表示とし、前記予約患者の認証が行われたときには前記個人情報を表示する表示制御部と、を具備したことを特徴とする。
【０００９】
また、請求項８記載の本発明は、医用画像機器に接続され診断の予約リストを表示可能にした表示部を有する医用画像表示方法であって、患者の診断予約に関する予約情報を取得し、前記予約情報をデータベースに記憶し、前記データベースに記憶された情報を用いて前記予約リストを生成して前記表示部に表示し、予約患者を識別する識別情報を取得して前記予約情報と比較し予約患者の認証を行い、前記表示部に表示された予約リストに患者の個人情報が含まれる場合、この個人情報の表示形態を前記認証結果に応じて制御し、前記予約患者の認証が行われないときは前記個人情報を非表示とし、前記予約患者の認証が行われたときには、前記個人情報を表示するように制御することを特徴とする。
【発明の効果】
【００１０】
本発明の医用画像表示装置によれば、予約リストに含まれる患者の個人情報が不用意に表示されることがなくなり、第三者への漏洩を防止することができる。
【発明を実施するための最良の形態】
【００１１】
以下、この発明の一実施の形態について図面を参照して詳細に説明する。
【実施例１】
【００１２】
本発明の医用画像表示装置の構成を、図１を参照して説明する。
【００１３】
図１において、１１は病院情報システム（ＨＩＳ：Hospital Information System）や放射線情報システム（ＲＩＳ：Radiology Information System）等の情報管理システムである。情報管理システム１１は、ＬＡＮ（Local Area Network）等のネットワーク１３に接続されており、ネットワーク１３には受付装置１２及び医用画像機器１４、１５が接続されている。受付装置１３は撮影の予約受付け等を行うものである。
【００１４】
医用画像機器１４，１５は、例えば超音波診断装置やＸ線装置である。医用画像機器１４と１５は同じ検査室に配置されたものとして説明する。
【００１５】
医用画像機器１４を代表にしてその構成を説明する。医用画像機器１４は、制御部２１、画像撮影装置２２、入力部２３、表示部２４、表示制御部２５を有している。
【００１６】
制御部２１は医用画像機器１４の各部の動作を制御するものである。画像撮影装置２２は、例えば超音波診断装置であり、制御部２１の制御の基に動作し、超音波プローブにより被検体に対して超音波ビームを送受信してエコー信号を取得し、エコー信号を基に超音波画像を得るものでる。
【００１７】
入力部２３は、キーボード、マウス等を含み、ユーザ（医師等）によって各種の情報を入力することができる。表示部２４は、予約リストや診断結果による画像情報等を表示する。また表示制御部２５は、表示部２４に表示される情報の表示形態を制御するものであり、予約リストに含まれる個人情報の表示／非表示を制御する。
【００１８】
表示制御部２５は、予約情報取得部２６、データベース２７、患者識別情報取得部２８、患者認証部２９、リスト表示部３０にて構成されている。
【００１９】
予約情報取得部２６は、情報管理システム１１から予約情報を取得し、データベース２７に取り込むものである。予約情報としては、例えば診断当日の予約時間と予約患者の情報が含まれる。データベース２７には患者の検査データの他に、患者名、患者ＩＤ、性別、生年月日等の患者の個人情報が記憶され、予約情報取得部２６が予約情報を取得すると、データベース２７からは該当する患者の検査データ、個人情報等が読み出される。
【００２０】
また、患者識別情報取得部２８は、受付装置１２で予約した患者の受付処理が行われた際に、診察券に含まれる患者名や患者ＩＤ等を基に予約患者の識別情報を取得するものである。
【００２１】
患者認証部２９は、患者識別情報取得部２８で取得した予約患者の識別情報を基に、データベース２７から読み出した該当患者の個人情報と識別情報とを比較して予約患者の認証を行う。
【００２２】
リスト表示部３０は、データベース２７に記憶された検査データ、個人情報等をもとに、予約リストを含む検査リストを生成して表示部２４に表示する。予約リストには、診断当日の予約状況及び予約患者名等が表示され、患者認証部２９での認証結果に応じて予約リストに表示される患者の個人情報欄は表示形態が切り替わる。
【００２３】
例えば患者認証部２９での認証が行われない場合は、予約リストの個人情報欄はマスキングされ、患者が認証された場合には、認証された患者の個人情報欄のマスキングが解かれて表示される。
【００２４】
こうして、予約情報取得部２６で取得した予約情報と、患者識別情報取得部２８で取得した患者識別情報を元に、患者認証部２９で予約した患者であるかどうかを比較し、該当患者であることが確認された場合、予約リストには該当患者の個人情報も含めて表示し、該当患者ではない場合は、個人情報のみをマスキングして表示する。
【００２５】
図２は、医用画像機器１４と１５の配置例を示すもので、同じ検査室１００に医用画像機器１４と１５が配置された例を示している。検査室１００には、それぞれ寝台１０１と１０２が配置され、医用画像機器１４と１５がそれぞれ寝台１０１と１０２に隣接配置されている。医用画像機器１４と１５には、図１の表示部２４に相当するモニタ２４１と２４２がそれぞれ接続されており、ユーザ（医師）１０３、１０４によって観察可能になっている。
【００２６】
例えば超音波診断装置やマンモグラフィ装置等の比較的小型な診断装置或いは可搬型の診断装置は、１つの検査室に複数台配置され、空いている装置に患者を誘導して検査するようにしている。このため、モニタ２４１と２４２にはそれぞれ同じ予約リストが表示される。
【００２７】
実際の診察時には、カーテン１０５で仕切られるが、例えば患者Ａを寝台１０１に誘導する場合、モニタ２４１，２４２に表示された画面の予約リストを患者Ａが見てしまう可能性がある。モニタ２４１と２４２には患者Ａの予約リストだけでなく他の予約患者のリストも表示されているため、患者Ａは他の患者の情報を盗み見ることができ個人情報保護の観点から望ましくない。
【００２８】
本発明では、このように事態を避けるため、予約リストの表示形態を制御するものである。
【００２９】
次に図３〜図５を参照して本発明での個人情報保護の動作について説明する。
【００３０】
図３は、表示部２４に表示される検査リストの一例を示すもので、医用画像機器１４の立上げ時に表示される画面を示している。この画面は、患者情報の入力欄３１、検査部位等の検査情報の入力欄３２、及び予約リスト３３の表示欄で構成されている。
【００３１】
予約リスト３３には、予約された患者名等が表示され、例えば図４で示すように、患者の個人情報欄３４と、診察部位や予約時間の欄３５等で構成されている。立上げ時には、予約リスト３３の個人情報欄３４はマスキングされており、患者を特定する情報は隠蔽されている。
【００３２】
一方、受付装置１２を介して予約患者が受付を行い、診察券に含まれる患者名や患者ＩＤ等を基に患者識別情報取得部２８で予約患者の識別情報が取得されると、患者認証部２９はデータベース２７から読み出した予約患者の個人情報と識別情報を比較して予約患者の認証を行い、認証されると図５で示すように、予約リスト３３の該当患者の個人情報欄３４のマスキングが解かれ、医師によって観察可能になる。図５ではNO.1で示すリストの患者ＩＤと患者名と生年月日が表示された場合を例示している。
【００３３】
したがって、医師は予約患者（患者Ａとする）を確認して診断の準備を行うことができる。またこのとき、医師が入力部２３を操作して該当患者の受け入れ準備ができたことを入力すると、情報管理システム１１は、予約患者が実際に診断開始したものと判断し、予約リストから該当患者（患者Ａ）についての情報を削除する。これにより予約リスト３３から診断を開始した患者のリストは削除されるため、他の医用診断装置１５に表示された予約リスト３３からも患者Ａの予約リストが削除されるので、第三者によって見られることがなくなる。
【００３４】
尚、個人情報の隠蔽処理として、マスキング処理を例に述べたが、これに限らず、個人情報を暗号化処理して解読不能な形態で表示し、認証結果を基に暗号化を解除して個人情報を解読できるように表示しても良い。
【００３５】
また、患者の識別情報を得る手段として診察券を用いる例を説明したが、診察券に限らず磁気カード、ＩＣカード等に患者を特定する情報を書き込み、カードリーダを用いて読み出すことで患者の来院を確認する方法や、患者自身が手入力で識別情報（名前、ＩＤ等）を入力する方法でも良い。
【００３６】
このように、本発明の医用画像表示装置によれば、個人情報が不用意に表示されることがなくなり、個人情報の漏洩を防止することができる。したがって、個人情報の保護に貢献し、セキュリティの向上を図ることができる。
【００３７】
また、以上の説明に限定されることなく、特許請求の範囲を逸脱しない範囲で種々の変形が可能である。
【図面の簡単な説明】
【００３８】
【図１】本発明の一実施形態の医用画像表示装置を用いた医用システムを説明する構成図。
【図２】本発明の医用画像表示装置を適用した検査室の配置を説明する説明図。
【図３】本発明の医用画像表示装置における検査リストの表示例を示す説明図。
【図４】本発明の医用画像表示装置における個人情報保護の動作について説明する説明図。
【図５】本発明の医用画像表示装置における個人情報保護の動作について説明する別の説明図。
【符号の説明】
【００３９】
１１…情報管理システム
１２…受付装置
１３…ネットワーク
１４，１５…医用画像機器
２１…制御部
２２…画像撮影装置
２３…入力部
２４…表示部
２５…表示制御部
２６…予約情報取得部
２７…データベース
２８…患者識別情報取得部
２９…患者認証部
３０…リスト表示部
３３…予約リスト画面
【図１】
2008046764.tif 000003
【図２】
2008046764.tif 000004
【図３】
2008046764.tif 000005
【図４】
2008046764.tif 000006
【図５】
2008046764.tif 000007